(57)【要約】【課題】ユーザに、シンボルタイミング同期手法を意識させることなく、信号フォーマットを設定させるだけで被測定信号を簡便に測定することができる測定装置を提供する。【解決手段】測定装置１０は、被測定信号の信号フォーマットとして時間多重パイロット型又は分散パイロット型をユーザに設定させる信号フォーマット設定部１８ａと、時間多重パイロット型におけるパイロットシンボルのレプリカ信号を生成するレプリカ生成部２２と、レプリカ信号と入力信号とを相関演算するレプリカ相関部２４と、入力信号を遅延させた比較信号と入力信号とを相関演算するＧＩ相関部２５と、相関結果に基づいて入力信号のシンボルタイミングを検出するシンボルタイミング検出部２６と、時間多重パイロット型が設定されたときレプリカ相関部２４を選択し、分散パイロット型が設定されたときＧＩ相関部２５を選択する相関演算選択部２３と、を備える。【選択図】図１
2019110414.tif 000002
【特許請求の範囲】
【請求項１】
周波数軸方向の複数のサブキャリアと時間軸方向の複数のシンボルとを含む信号を被測定装置（１）から入力し、入力した入力信号を測定する測定装置（１０）であって、
前記入力信号は、
振幅及び位相が既知のパイロットシンボル及び前記振幅及び前記位相が未知のデータシンボルのいずれか一方が同一時刻の前記各サブキャリアに配置された配置型式を示す第１の信号フォーマット（３０）と、
同一時刻の前記各サブキャリアに前記パイロットシンボルが配置されたものと前記データシンボルが配置されたものとが混在した配置型式を示す第２の信号フォーマット（４０）と、のいずれか一方に基づいて生成されたものであって、シンボル間干渉を回避するためのガードインターバルを有し、
前記第１及び前記第２の信号フォーマットのいずれか一方をユーザに設定させる信号フォーマット設定手段（１８ａ）と、
設定された信号フォーマットに基づいて前記入力信号のシンボルタイミングを検出するシンボルタイミング検出手段（２０）と、
前記シンボルタイミングが検出された信号を測定する測定手段（１６）と、
を備え、
前記シンボルタイミング検出手段は、
前記第１の信号フォーマットにおける前記パイロットシンボルのレプリカ信号を生成するレプリカ生成部（２２）と、
生成された前記レプリカ信号と前記入力信号とを相関演算する第１の相関演算部（２４）と、
前記入力信号を遅延させた比較信号と前記入力信号とを相関演算する第２の相関演算部（２５）と、
前記第１又は前記第２の相関演算部による相関結果に基づいて前記入力信号のシンボルタイミングを検出するシンボルタイミング検出部（２６）と、
前記信号フォーマット設定手段において前記第１の信号フォーマットが設定された場合には前記第１の相関演算部を選択し、前記第２の信号フォーマットが設定された場合には前記第２の相関演算部を選択する相関演算選択部（２３）と、
を備えたことを特徴とする測定装置。
【請求項２】
前記相関演算選択部は、前記第２の信号フォーマットが設定された場合に、同一時刻の前記各サブキャリアにおいて、前記パイロットシンボルが配置されたサブキャリアの個数に対する前記データシンボルが配置されたサブキャリアの個数の比が所定値以下の場合には前記第１の相関演算部を選択するものであることを特徴とする請求項１に記載の測定装置。
【請求項３】
前記入力信号が、ＯＦＤＭ変調方式又はシングルキャリアブロック伝送方式の変調信号であることを特徴とする請求項１又は請求項２に記載の測定装置。
【請求項４】
前記シンボルタイミング検出手段は、前記ガードインターバルを除去するためのシンボルタイミングを検出するものであることを特徴とする請求項１から請求項３までのいずれか１項に記載の測定装置。
【請求項５】
請求項１に記載の測定装置（１０）を用いて前記入力信号を測定する測定方法であって、
前記第１及び前記第２の信号フォーマットのいずれか一方をユーザに設定させる信号フォーマット設定ステップ（Ｓ１１）と、
設定された信号フォーマットに基づいて前記入力信号のシンボルタイミングを検出するシンボルタイミング検出ステップ（Ｓ１３、Ｓ１７〜Ｓ１９）と、
前記シンボルタイミングが検出された信号を測定する測定ステップ（Ｓ２３）と、
を含み、
前記シンボルタイミング検出ステップは、
前記第１の信号フォーマットにおける前記パイロットシンボルのレプリカ信号を生成するレプリカ信号生成ステップ（Ｓ１３）と、
前記信号フォーマット設定ステップにおいて前記第１の信号フォーマットが設定された場合には、生成された前記レプリカ信号と前記入力信号とを相関演算する第１の相関演算ステップ（Ｓ１７）と、
前記信号フォーマット設定ステップにおいて前記第２の信号フォーマットが設定された場合には、前記入力信号を遅延させた比較信号と前記入力信号とを相関演算する第２の相関演算ステップ（Ｓ１８）と、
前記第１又は前記第２の相関演算ステップによる相関結果に基づいて前記入力信号のシンボルタイミングを検出するシンボルタイミング検出ステップ（Ｓ１９）と、
を含むことを特徴とする測定方法。
【発明の詳細な説明】
【技術分野】
【０００１】
本発明は、例えばＯＦＤＭ（Orthogonal Frequency Division Multiplexing：直交周波数分割多重）変調方式により変調された入力信号を測定する測定装置及び測定方法に関する。
【背景技術】
【０００２】
従来、無線ＬＡＮやＬＴＥ（Long Term Evolution）などの広帯域な無線伝送システムでは、ＯＦＤＭ変調方式やシングルキャリアブロック伝送方式などのブロック伝送方式が用いられている。ブロック伝送方式では、データシンボルをＦＦＴ処理し、周波数領域に変換したあと周波数領域でサブキャリアに送信系列をマッピングし、等化処理などを行った後に時間領域の信号に変換して送信信号とする。さらに、時間領域に変換された信号の後端の一部をガードインターバルとしてその信号の前方に付加することで、マルチパスフェージングによるチャネル間干渉に耐性を持たせている。そのため、ブロック伝送方式では、復調する際、付加したガードインターバルの位置を正確に推定する必要がある。
【０００３】
ガードインターバルの位置を正確に推定する装置としては、特許文献１に記載されたタイミング検出装置が知られている。
【０００４】
特許文献１に記載された従来のものは、周波数領域の受信信号とレプリカ信号の複素共役を対応するサブキャリア毎に乗算するレプリカ信号Ｆ乗算部と、レプリカ信号乗算後の周波数領域の受信信号を時間領域の信号に変換するＩＤＦＴ部と、時間領域の信号を電力化し、電力値の最大ピークを検出したタイミングを出力するピーク検出部と、を備え、ガードインターバルの位置を推定するようになっている。
【先行技術文献】
【特許文献】
【０００５】
【特許文献１】特許第５７１７５８５号公報
【発明の概要】
【発明が解決しようとする課題】
【０００６】
ところで、無線通信機器の測定装置には、ブロック伝送方式で用いられるサブキャリアの信号フォーマットをユーザが設定できる機能を有するものがある。なお、サブキャリアの信号フォーマットとは、サブキャリアに含まれるパイロットシンボルやデータシンボルの配置を設定する型式をいう。
【０００７】
しかしながら、従来のものは、通信規格で定められた、固定された信号フォーマットに基づいた信号を対象としているので、サブキャリアの信号フォーマットをユーザが設定する測定装置に従来のものを適用した場合には、信号フォーマットの設定に加え、その信号フォーマットに適合したシンボルタイミング同期手法もユーザに設定させる必要が生じてしまい、操作が煩雑になるという課題があった。
【０００８】
本発明は、前述のような事情に鑑みてなされたもので、ユーザに、シンボルタイミング同期手法を意識させることなく、信号フォーマットを設定させるだけで被測定信号を簡便に測定することができる測定装置及び測定方法を提供することを目的とする。
【課題を解決するための手段】
【０００９】
本発明の請求項１に係る測定装置は、周波数軸方向の複数のサブキャリアと時間軸方向の複数のシンボルとを含む信号を被測定装置（１）から入力し、入力した入力信号を測定する測定装置（１０）であって、前記入力信号は、振幅及び位相が既知のパイロットシンボル及び前記振幅及び前記位相が未知のデータシンボルのいずれか一方が同一時刻の前記各サブキャリアに配置された配置型式を示す第１の信号フォーマット（３０）と、同一時刻の前記各サブキャリアに前記パイロットシンボルが配置されたものと前記データシンボルが配置されたものとが混在した配置型式を示す第２の信号フォーマット（４０）と、のいずれか一方に基づいて生成されたものであって、シンボル間干渉を回避するためのガードインターバルを有し、前記第１及び前記第２の信号フォーマットのいずれか一方をユーザに設定させる信号フォーマット設定手段（１８ａ）と、設定された信号フォーマットに基づいて前記入力信号のシンボルタイミングを検出するシンボルタイミング検出手段（２０）と、前記シンボルタイミングが検出された信号を測定する測定手段（１６）と、を備え、前記シンボルタイミング検出手段は、前記第１の信号フォーマットにおける前記パイロットシンボルのレプリカ信号を生成するレプリカ生成部（２２）と、生成された前記レプリカ信号と前記入力信号とを相関演算する第１の相関演算部（２４）と、前記入力信号を遅延させた比較信号と前記入力信号とを相関演算する第２の相関演算部（２５）と、前記第１又は前記第２の相関演算部による相関結果に基づいて前記入力信号のシンボルタイミングを検出するシンボルタイミング検出部（２６）と、前記信号フォーマット設定手段において前記第１の信号フォーマットが設定された場合には前記第１の相関演算部を選択し、前記第２の信号フォーマットが設定された場合には前記第２の相関演算部を選択する相関演算選択部（２３）と、を備えた構成を有している。
【００１０】
この構成により、本発明の請求項１に係る測定装置は、設定された信号フォーマットに基づいて被測定装置から入力した入力信号のシンボルタイミングを検出するので、ユーザに、シンボルタイミング同期手法を意識させることなく、信号フォーマットを設定させるだけで被測定信号を簡便に測定することができる。
【００１１】
本発明の請求項２に係る測定装置は、前記相関演算選択部は、前記第２の信号フォーマットが設定された場合に、同一時刻の前記各サブキャリアにおいて、前記パイロットシンボルが配置されたサブキャリアの個数に対する前記データシンボルが配置されたサブキャリアの個数の比が所定値以下の場合には前記第１の相関演算部を選択するものである構成を有している。
【００１２】
この構成により、本発明の請求項２に係る測定装置は、第２の信号フォーマットが設定された場合でも、第１の相関演算部を選択してシンボルタイミングを検出し、被測定信号を測定することができる。
【００１３】
本発明の請求項３に係る測定装置は、前記入力信号が、ＯＦＤＭ変調方式又はシングルキャリアブロック伝送方式の変調信号である構成を有している。
【００１４】
この構成により、本発明の請求項３に係る測定装置は、ＯＦＤＭ変調方式又はシングルキャリアブロック伝送方式の変調信号を被測定信号としてシンボルタイミングを検出し、被測定信号を測定することができる。
【００１５】
本発明の請求項４に係る測定装置は、前記シンボルタイミング検出手段は、前記ガードインターバルを除去するためのシンボルタイミングを検出するものである構成を有している。
【００１６】
この構成により、本発明の請求項４に係る測定装置は、ガードインターバルを除去するためのシンボルタイミングを検出することができる。
【００１７】
本発明の請求項５に係る測定方法は、請求項１に記載の測定装置（１０）を用いて前記入力信号を測定する測定方法であって、前記第１及び前記第２の信号フォーマットのいずれか一方をユーザに設定させる信号フォーマット設定ステップ（Ｓ１１）と、設定された信号フォーマットに基づいて前記入力信号のシンボルタイミングを検出するシンボルタイミング検出ステップ（Ｓ１３、Ｓ１７〜Ｓ１９）と、前記シンボルタイミングが検出された信号を測定する測定ステップ（Ｓ２３）と、を含み、前記シンボルタイミング検出ステップは、前記第１の信号フォーマットにおける前記パイロットシンボルのレプリカ信号を生成するレプリカ信号生成ステップ（Ｓ１３）と、前記信号フォーマット設定ステップにおいて前記第１の信号フォーマットが設定された場合には、生成された前記レプリカ信号と前記入力信号とを相関演算する第１の相関演算ステップ（Ｓ１７）と、前記信号フォーマット設定ステップにおいて前記第２の信号フォーマットが設定された場合には、前記入力信号を遅延させた比較信号と前記入力信号とを相関演算する第２の相関演算ステップ（Ｓ１８）と、前記第１又は前記第２の相関演算ステップによる相関結果に基づいて前記入力信号のシンボルタイミングを検出するシンボルタイミング検出ステップ（Ｓ１９）と、を含む構成を有している。
【００１８】
この構成により、本発明の請求項５に係る測定方法は、設定された信号フォーマットに基づいて被測定装置から入力した入力信号のシンボルタイミングを検出するので、ユーザに、シンボルタイミング同期手法を意識させることなく、信号フォーマットを設定させるだけで被測定信号を簡便に測定することができる。
【発明の効果】
【００１９】
本発明は、ユーザに、シンボルタイミング同期手法を意識させることなく、信号フォーマットを設定させるだけで被測定信号を簡便に測定することができるという効果を有する測定装置及び測定方法を提供することができるものである。
【図面の簡単な説明】
【００２０】
【図１】本発明の一実施形態における測定装置のブロック構成図である。
【図２】本発明の一実施形態における信号フォーマットの説明図である。
【図３】本発明の一実施形態におけるシンボルタイミング検出装置の入力信号が時間多重パイロット型である場合の相関演算処理の一例を模式的に示す図である。
【図４】本発明の一実施形態におけるシンボルタイミング検出装置の入力信号が分散パイロット型である場合の相関演算処理の一例を模式的に示す図である。
【図５】本発明の一実施形態における測定装置のフローチャートである。
【発明を実施するための形態】
【００２１】
以下、本発明に係る測定装置及び測定方法の実施形態について、図面を用いて説明する。なお、本発明に係る測定装置を、ＯＦＤＭ変調方式の変調信号を被測定装置（ＤＵＴ）から入力し、入力した入力信号を測定する測定装置に適用した例を挙げて説明する。
【００２２】
まず、本発明に係る測定装置の一実施形態における構成について説明する。
【００２３】
図１に示すように、本実施形態における測定装置１０は、周波数変換部１１、ＡＤＣ１２、ＧＩ除去部１３、ＦＦＴ演算部１４、復調部１５、測定部１６、表示部１７、操作部１８、シンボルタイミング検出装置２０を備えている。この測定装置１０は、例えば、ＤＵＴ１からの入力信号を解析するシグナルアナライザである。
【００２４】
測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００２５】
なお、ＯＦＤＭ変調方式等の直交周波数分割多重方式の信号を測定する測定装置では、実際には、Ｉ相成分とＱ相成分に分けて処理を行う構成が含まれているが、本実施形態では、説明を簡略にするために、これらの構成の説明は省略している。
【００２６】
周波数変換部１１は、ＤＵＴ１から入力した入力信号を周波数変換し、アナログ値のベースバンド信号としてＡＤＣ１２に出力するようになっている。
【００２７】
ＡＤＣ（アナログデジタルコンバータ）１２は、アナログ値のベースバンド信号を所定のサンプリング時刻ごとにサンプリングすることによりデジタル値のベースバンド信号に変換してＧＩ除去部１３及びシンボルタイミング検出装置２０に出力するようになっている。
【００２８】
ＧＩ（ガードインターバル）除去部１３は、シンボルタイミング検出装置２０から所定のシンボルタイミングの検出信号を入力し、入力した検出信号に基づいて、入力信号からガードインターバルを除去するようになっている。なお、ガードインターバルは、ＤＵＴ１において、シンボル間干渉を回避する目的で出力信号に付された冗長信号を含む期間である。この冗長信号は、ＤＵＴ１において、ＩＦＦＴ出力信号系列の後端の一定区間をコピーして、ＩＦＦＴ出力信号系列の先端に付加されたものである。なお、このガードインターバルの区間（サンプル長）は既知である。
【００２９】
ＦＦＴ演算部１４は、ＧＩ除去部１３から出力される時間領域のベースバンド信号を周波数領域のベースバンド信号に変換して復調部１５に出力するようになっている。
【００３０】
復調部１５は、ＦＦＴ演算後の信号に対して復調を行うようになっている。復調された信号は、測定部１６に出力される。
【００３１】
測定部１６は、復調された信号に対し、所定の測定を行うようになっている。測定結果のデータは、表示部１７に出力される。この測定部１６は、測定手段の一例である。
【００３２】
表示部１７は、測定部１６によって得られた測定結果を画面に表示するようになっている。
【００３３】
操作部１８は、ＤＵＴ１を測定する測定項目や測定条件、判定条件等のパラメータを設定するためユーザが操作するものであり、例えば、タッチパネルやハードウェアキーで構成されたキーボード、ダイヤル又はマウスのような入力デバイス、これらを制御する制御回路等で構成される。この操作部１８は、信号フォーマット設定部１８ａを備えている。
【００３４】
信号フォーマット設定部１８ａは、ＤＵＴ１が出力する信号、すなわち、測定装置１０が入力するマルチキャリアのＯＦＤＭ変調信号の信号フォーマットを設定するものである。また、信号フォーマット設定部１８ａは、各パイロットシンボルの振幅及び位相をユーザに設定させるものである。なお、信号フォーマット設定部１８ａは、信号フォーマット設定手段の一例である。以下に、本実施形態における信号フォーマットについて、図２を用いて具体的に説明する。
【００３５】
図２は、周波数軸方向の複数のサブキャリアと時間軸方向の複数のシンボルとを含むＯＦＤＭ変調信号の信号フォーマットを模式的に示している。図中、斜線を付した矩形はパイロットシンボルを含むサブキャリア、白抜きの矩形はデータシンボルを含むサブキャリアを示している。
【００３６】
図２（ａ）及び（ｂ）に示すように、本実施形態における測定装置１０がＤＵＴ１から入力するＯＦＤＭ変調信号の信号フォーマットは、大別して２種類ある。
【００３７】
まず、図２（ａ）に示した第１の信号フォーマット３０について説明する。この第１の信号フォーマット３０は、振幅及び位相が既知のパイロットシンボル及び振幅及び位相が未知のデータシンボルのいずれか一方が同一時刻の各サブキャリアに配置された配置型式である。以下、この信号フォーマットを時間多重パイロット型という。
【００３８】
図２（ａ）に示すように、時間多重パイロット型において、例えば、シンボル３１は全サブキャリアがパイロットシンボルを含んでいる。また、シンボル３２は全サブキャリアがデータシンボルを含んでいる。
【００３９】
次に、図２（ｂ）に示した第２の信号フォーマット４０について説明する。この第２の信号フォーマット４０は、同一時刻の各サブキャリアにパイロットシンボルが配置されたものとデータシンボルが配置されたものとが混在した配置型式である。以下、この信号フォーマットを分散パイロット型という。
【００４０】
図２（ｂ）に示すように、分散パイロット型において、例えば、シンボル４１は、パイロットシンボルを含むサブキャリアと、データシンボルを含むサブキャリアとが周波数軸方向に混在している。
【００４１】
図１に戻り、シンボルタイミング検出装置２０は、信号フォーマット取得部２１、レプリカ生成部２２、相関演算選択部２３、レプリカ相関部２４、ＧＩ相関部２５、シンボルタイミング検出部２６を備えている。このシンボルタイミング検出装置２０は、シンボルタイミング検出手段の一例である。
【００４２】
信号フォーマット取得部２１は、操作部１８の信号フォーマット設定部１８ａから、ユーザが設定した信号フォーマットのデータと、その信号フォーマットに含まれる各パイロットシンボルの振幅及び位相のデータとを取得するようになっている。
【００４３】
レプリカ生成部２２は、信号フォーマット取得部２１によって取得された信号フォーマットが時間多重パイロット型である場合には、信号フォーマット取得部２１から時間多重パイロット型のデータを取得してパイロットシンボルのレプリカ信号を生成するようになっている。例えば、レプリカ生成部２２は、図２（ａ）に示したシンボル３１のレプリカ信号を生成するものである。
【００４４】
相関演算選択部２３は、信号フォーマット取得部２１によって取得された信号フォーマットに基づいて、入力したベースバンド信号をレプリカ相関部２４又はＧＩ相関部２５に出力するようになっている。具体的には、相関演算選択部２３は、入力したベースバンド信号の出力先として、信号フォーマット取得部２１によって取得された信号フォーマットが、時間多重パイロット型である場合にはレプリカ相関部２４を選択し、分散パイロット型である場合にはＧＩ相関部２５を選択するようになっている。
【００４５】
なお、相関演算選択部２３は、信号フォーマットが分散パイロット型であっても、レプリカ相関部２４を選択可能な構成とすることができる。例えば、信号フォーマットが分散パイロット型である場合に、同一時刻の各サブキャリアにおいて、パイロットシンボルが配置されたサブキャリアの個数Ｎｐに対するデータシンボルが配置されたサブキャリアの個数Ｎｄの比（Ｎｄ／Ｎｐ）が所定値以下の場合には、相関演算選択部２３がレプリカ相関部２４を選択可能としてもよい。なお、所定値の範囲は、例えば実験により、レプリカ相関部２４がシンボルタイミングを検出できる範囲を求めることにより定めることができる。
【００４６】
具体的には、例えば、２５６個のサブキャリアがある場合、パイロットシンボルが配置されたサブキャリアの個数Ｎｐ＝２５３、データシンボルが配置されたサブキャリアの個数Ｎｄ＝３のときにレプリカ相関部２４がシンボルタイミングを検出できるのであれば、両者の比Ｎｄ／Ｎｐ＝３／２５３以下のときに相関演算選択部２３がレプリカ相関部２４を選択可能な構成とすることができる。
【００４７】
レプリカ相関部２４は、相関演算選択部２３によって選択された場合、すなわち、入力信号が時間多重パイロット型の場合には、レプリカ生成部２２によって生成されたレプリカ信号と入力信号とを相関演算するようになっている。このレプリカ相関部２４は、第１の相関演算部の一例である。
【００４８】
ＧＩ相関部２５は、相関演算選択部２３によって選択された場合、すなわち、入力信号が分散パイロット型の場合には、入力信号を遅延させた比較信号と入力信号とを相関演算するようになっている。このＧＩ相関部２５は、第２の相関演算部の一例である。
【００４９】
シンボルタイミング検出部２６は、レプリカ相関部２４又はＧＩ相関部２５による相関結果に基づいて入力信号のシンボルタイミングを検出し、その旨を示す検出信号をＧＩ除去部１３に出力するようになっている。この検出信号により、ＧＩ除去部１３がガードインターバルを除去するタイミングが得られる。また、この検出信号により、ＤＵＴ１からの入力信号と、ＦＦＴ演算部１４によるＦＦＴ演算との同期を確立することができる。
【００５０】
次に、シンボルタイミング検出装置２０の機能について、図３、図４を用いて説明する。
【００５１】
図３は、シンボルタイミング検出装置２０の入力信号が時間多重パイロット型である場合の処理の一例を模式的に示している。
【００５２】
図３に示すように、入力信号は、時間軸方向に連続的に連なったＯＦＤＭシンボルを有する。ＯＦＤＭシンボルは、ガードインターバル（ＧＩ）と有効シンボルとを含む。
【００５３】
レプリカ相関部２４は、レプリカ生成部２２によって生成されたレプリカ信号５１を例えば１サンプルずつ時間遅延させながら入力信号との相互相関演算を実行する。
【００５４】
シンボルタイミング検出部２６は、レプリカ相関部２４によって算出された相関値が最大となる時間的位置を求めることにより、有効シンボルの先頭５２を検出することができる。
【００５５】
図４は、シンボルタイミング検出装置２０の入力信号が分散パイロット型である場合の処理の一例を模式的に示している。
【００５６】
図４に示すように、入力信号は、時間軸方向に連続的に連なったＯＦＤＭシンボルを有する。ＯＦＤＭシンボルは、ガードインターバル（ＧＩ）と有効シンボルとを含む。ガードインターバルのサンプルは、有効シンボルの後端サンプル６１がコピーされたものである。
【００５７】
ＧＩ相関部２５は、入力信号を遅延させた比較信号６２を生成し、この比較信号６２を例えば１サンプルずつ時間遅延させながら入力信号との相互相関演算を実行する。
【００５８】
シンボルタイミング検出部２６は、ＧＩ相関部２５によって算出された相関値が最大となる時間的位置を求める。図示の例では、比較信号６２のガードインターバルと後端シンボル６１とが時間的に一致した位置で相関値が最大となり、両者の時間長（シンボル長）は既知であるので、シンボルタイミング検出部２６は、有効シンボルの先頭６３を検出することができる。
【００５９】
以上のように、測定装置１０は、被測定信号の信号フォーマットが時間多重パイロット型である場合には、パイロットシンボルのレプリカ信号と入力信号との相互相関演算によってシンボルタイミングを検出する構成を有する。一方、測定装置１０は、被測定信号の信号フォーマットが分散パイロット型である場合には、入力信号を遅延させた比較信号と入力信号との相互相関演算によってシンボルタイミングを検出する構成を有する。
【００６０】
この構成により、測定装置１０は、被測定信号の信号フォーマットに適合したシンボルタイミングを検出（ＦＦＴ演算との同期を確立）することができる。以下に具体的に説明する。
【００６１】
まず、被測定信号の信号フォーマットが分散パイロット型である場合に、パイロットシンボルのレプリカ信号を用いて同期を確立しようとすると、そのレプリカ信号には振幅及び位相が未知のデータシンボルを含めることはできないため、好適なレプリカ信号が得られない。そのため、この手法では、同期を正確に確立することができない。
【００６２】
また、被測定信号の信号フォーマットが時間多重パイロット型である場合に、ガードインターバルを用いて同期を確立しようとすると、同期の確立自体は可能である。しかしながら、例えば、被測定信号の信号品質が比較的悪い状況で、ガードインターバルを用いた場合には、パイロットシンボルのレプリカ信号を用いる構成よりも同期性能が劣化する可能性がある。なぜならば、一般にガードインターバル長は、実運用に必要な最低限の長さで設定されるため、ガードインターバルを用いた場合には、パイロットシンボルのレプリカ信号によってシンボル全体を用いて同期を確立するよりも利用できる情報が少なくなるからである。
【００６３】
以上の２点より、従来の測定装置を使用する場合には、ユーザは、自身が測定対象とする信号フォーマットに合わせて適切なシンボルタイミング同期手法を意識して設定する操作をしなければ、正常な測定ができないという課題があった。
【００６４】
また、所望の測定結果が得られない場合に、ユーザが、信号フォーマットの違いによりシンボルタイミング同期手法が異なることに気が付かなければ、原因究明に時間を要する結果となるという課題もあった。
【００６５】
これに対し、本実施形態における測定装置１０は、前述のように、被測定信号の信号フォーマットが時間多重パイロット型又は分散パイロット型である場合に応じて、入力信号との相互相関演算によってシンボルタイミングを検出する構成を有するので、被測定信号の信号フォーマットに好適なシンボルタイミング同期手法を選択して被測定信号を測定することができる。
【００６６】
次に、本実施形態における測定装置１０の動作について図５を用いて説明する。図５は、本実施形態における測定方法を説明するためのフローチャートである。
【００６７】
操作部１８をユーザが操作することにより、ＤＵＴ１を測定する測定項目や測定条件、判定条件等のパラメータが設定され、信号フォーマット設定部１８ａによりＤＵＴ１からのＯＦＤＭ変調信号の信号フォーマットが設定される（ステップＳ１１）。
【００６８】
信号フォーマット取得部２１は、操作部１８の信号フォーマット設定部１８ａから、ユーザが設定した信号フォーマットのデータと、その信号フォーマットに含まれる各パイロットシンボルの振幅及び位相のデータとを取得する（ステップＳ１２）。
【００６９】
レプリカ生成部２２は、信号フォーマット取得部２１によって取得された信号フォーマットが時間多重パイロット型である場合には、信号フォーマット取得部２１から時間多重パイロット型のデータを取得してパイロットシンボルのレプリカ信号を生成する（ステップＳ１３）。なお、このステップＳ１３の処理を、後述するステップＳ１６とＳ１７との間に行うことにしてもよい。
【００７０】
周波数変換部１１は、ＤＵＴ１から被測定信号を入力し（ステップＳ１４）、入力した入力信号を周波数変換してアナログ値のベースバンド信号としてＡＤＣ１２に出力する（ステップＳ１５）。ＡＤＣ１２は、アナログ値のベースバンド信号をデジタル値のベースバンド信号に変換してＧＩ除去部１３及びシンボルタイミング検出装置２０に出力する。
【００７１】
相関演算選択部２３は、信号フォーマット取得部２１によって取得された信号フォーマットが時間多重パイロット型であるか否かを判断する（ステップＳ１６）。
【００７２】
ステップＳ１６において、相関演算選択部２３は、信号フォーマットが時間多重パイロット型であると判断した場合には、ＡＤＣ１２から入力した入力信号をレプリカ相関部２４に出力する。レプリカ相関部２４は、レプリカ生成部２２によって生成されたレプリカ信号と入力信号とを相関演算する（ステップＳ１７）。
【００７３】
一方、ステップＳ１６において、相関演算選択部２３は、信号フォーマットが時間多重パイロット型であると判断しなかった場合、すなわち、入力信号が分散パイロット型であると判断した場合には、ＡＤＣ１２から入力した入力信号をＧＩ相関部２５に出力する。ＧＩ相関部２５は、入力信号を遅延させた比較信号と入力信号とを相関演算する（ステップＳ１８）。
【００７４】
シンボルタイミング検出部２６は、レプリカ相関部２４又はＧＩ相関部２５による相関結果に基づいて、有効シンボルの先頭を検出し（ステップＳ１９）、その旨を示す検出信号をＧＩ除去部１３に出力する。
【００７５】
ＧＩ除去部１３は、シンボルタイミング検出部２６から入力した検出信号に基づいて、入力信号からガードインターバルを除去する（ステップＳ２０）。
【００７６】
ＦＦＴ演算部１４は、ＦＦＴ演算処理により、ＧＩ除去部１３から出力される時間領域のベースバンド信号を周波数領域のベースバンド信号に変換して復調部１５に出力する（ステップＳ２１）。
【００７７】
復調部１５は、ＦＦＴ演算後の信号に対して復調調理を実行し（ステップＳ２２）、復調した信号を測定部１６に出力する。
【００７８】
測定部１６は、復調された信号に対し、操作部１８で設定された所定の測定を行って（ステップＳ２３）、測定結果のデータを表示部１７に出力する。
【００７９】
表示部１７は、測定部１６によって得られた測定結果を画面に表示する（ステップＳ２４）。
【００８０】
以上のように、本実施形態における測定装置１０は、設定された信号フォーマットに基づいてＤＵＴ１から入力した入力信号のシンボルタイミングを検出する構成としたので、ユーザに、シンボルタイミング同期手法を意識させることなく、信号フォーマットを設定させるだけで被測定信号を簡便に測定することができる。
【００８１】
なお、前述の実施形態では、被測定信号としてＯＦＤＭ変調方式の変調信号を例に挙げて説明したが、本発明はこれに限定されず、シングルキャリアブロック伝送方式の変調信号や、その他のブロック伝送方式の変調信号を被測定信号としても同様の効果が得られる。
【産業上の利用可能性】
【００８２】
以上のように、本発明に係る測定装置及び測定方法は、ユーザに、シンボルタイミング同期手法を意識させることなく、信号フォーマットを設定させるだけで被測定信号を簡便に測定することができるという効果を有し、ＯＦＤＭ変調方式やシングルキャリアブロック伝送方式の変調信号を測定する測定装置及び測定方法として有用である。
【符号の説明】
【００８３】
１  ＤＵＴ（被測定装置）
１０  測定装置
１６  測定部（測定手段）
１８  操作部
１８ａ  信号フォーマット設定部（信号フォーマット設定手段）
２０  シンボルタイミング検出装置（シンボルタイミング検出手段）
２１  信号フォーマット取得部
２３  相関演算選択部
２４  レプリカ相関部（第１の相関演算部）
２５  ＧＩ相関部（第２の相関演算部）
２６  シンボルタイミング検出部
３０  第１の信号フォーマット
４０  第２の信号フォーマット
【図１】
2019110414.tif 000003
【図２】
2019110414.tif 000004
【図３】
2019110414.tif 000005
【図４】
2019110414.tif 000006
【図５】
2019110414.tif 000007